(57)【要約】【課題】設置時の衝撃緩和を図り得ながら消火器底部の塗装コーティングの剥離や亀裂の防止および腐食防止を企てる消火器を提供する。【解決手段】本体容器１の底部に環状の突出底縁１２を設ける一方、柔軟性樹脂やゴムのゴム状弾性材料からなる底キャップ１３を突出底縁１２の形状に対応する断面溝形状の環状に成形して、この底キャップ１３を突出底縁１２に嵌合固定した。【選択図】　　　図２
2004081417.tif 000002
【特許請求の範囲】
【請求項１】
消火薬剤が充填される本体容器の底部にこれより下方へ突出する環状の突出底縁を設け、この突出底縁の形状に対応する断面溝形状の環状に形成した、柔軟性樹脂やゴムのゴム状弾性材料からなる底キャップを、前記突出底縁に嵌合固定してあることを特徴とする、耐食性消火器。
【請求項２】
前記底キャップが前記突出底縁に接着剤を介して嵌合固定されている、請求項１記載の耐食性消火器。
【請求項３】
前記ゴム状弾性材料には、熱可塑性ポリウレタン、低密度ポリエチレン、エラストマー、軟質ポリ塩化ビニル、加硫ゴム、ＲＩＭウレタンから選ばれた１つが用いられる、請求項１又は２記載の耐腐食性消火器。
【発明の詳細な説明】
【０００１】
【発明の属する技術分野】
本発明は、耐腐食性消火器に係り、より詳しくは本体容器の底部に耐腐食処理を施した消火器に関する。
【０００２】
【従来の技術】
住宅や工場などに設置される手提げ式の消火器は、一般に消火薬剤の充填される容器本体が鉄鋼板で作られ、この外面に防錆目的で樹脂塗装（俗に、「赤色塗装」という。）をコーティングすることにより耐腐食処理が施されている。消火器の設置場所が雑水や薬品等に浸される場所である場合は、より一層強力な耐食処理が必要とされるため、この場合には消火器の、とくに底部の外面塗装コーティングの上に更に樹脂塗装コーティング（俗に、「黒色塗装」という。）が施される。
【０００３】
【発明が解決しようとする課題】
しかしながら、上記悪条件の設置場所に対処すべく消火器の底部に二重の樹脂塗装が施されていても、消火器の点検や移動に際しコンクリート等の硬い床面に置くときに衝撃が大きいと、消火器の底部の樹脂塗膜が剥離したり、亀裂が発生したりしやすく、この剥離又は亀裂箇所から水分が侵入して消火器底部に腐食反応が起こっていた。また、消火器底部に樹脂塗装を二重にコーティングすることの作業負担は大きく、コスト高にもなっていた。
【０００４】
そこで、本発明の目的は、上記のような問題を解消するためになされたものであり、設置時の衝撃緩和を図り得ながら消火器底部の塗装コーティングの剥離や亀裂の防止および腐食防止を企てる耐腐食性消火器を提供することにある。
【０００５】
【課題を解決するための手段】
本発明の耐腐食性消火器は、消火薬剤が充填される本体容器の底部にこれより下方へ突出する環状の突出底縁を設け、この突出底縁の形状に対応する断面溝形状の環状に形成した、柔軟性樹脂やゴムのゴム状弾性材料からなる底キャップを、前記突出底縁に嵌合固定してあることに特徴を有するものである。
【０００６】
この場合において、前記底キャップは前記突出底縁に接着剤を介して嵌合固定することができる。
また、前記ゴム状弾性材料としては、熱可塑性ポリウレタン、低密度ポリエチレン、エラストマー、軟質ポリ塩化ビニル、加硫ゴム、ＲＩＭウレタンのうちから１つを選択することができる。
【０００７】
【作用】
上記構成の耐腐食性消火器によれば、本体容器の底部の突出底縁に柔軟性樹脂やゴムのゴム状弾性材料からなる底キャップを嵌合固定してあるので、この消火器の設置時に本体容器の底部に加えられる衝撃を緩和することができ、本体容器底部の塗装コーティングの剥離や亀裂を防止できる。
【０００８】
本体容器の底部の耐腐食処理にあたっては樹脂塗装を２度にわたってコーティングするという手間を省け、底キャップを突出底縁に嵌合するだけの簡単な作業で済むことになった。
【０００９】
【発明の実施の形態】
以下、本発明に係る耐腐食性消火器の好適な実施形態を図面に基づき説明する。図１は本発明の一実施例を示す耐腐食性消火器の正面図、図２は図１の耐腐食性消火器の底部の拡大断面図、図３は図１の耐腐食性消火器に備える底キャップの断面図、図４は他の実施例を図２に対応させて示す消火器底部の拡大断面図である。
【００１０】
図１に例示するように、本発明に係る耐腐食性消火器の全体的な構成については従来の標準タイプの加圧式消火器と同じである。すなわち、この消火器は粉末消火薬剤が充填された金属製の円筒形状の本体容器１、本体容器１の口部２に取り付けたバルブ３、本体容器１内に収納されるようバルブ３に接続され、前記粉末消火薬剤を噴出させる圧力源である加圧用ガスボンベ（図示せず）、バルブ３に接続された消火器ホース４、消火器ホース４の先端に付けているノズル５、バルブ３に取り付けられてその開閉操作をするための固定レバー６及び可動レバー７、固定・可動レバー６，７に備えた安全栓８等によって構成される。
【００１１】
本発明は、上記構造の消火器において、図２に示すごとく樹脂塗装コーティングの施された本体容器１の胴部１０の下端１０ａを底板１１より更に下方へ突出させるか、又は図４に示すごとく底板１１の外周縁１１ａを胴部１０の下端より下方へ突出させて環状の突出底縁１２を設ける一方、図３に示すごとく柔軟性樹脂やゴムのゴム状弾性材料からなる底キャップ１３を突出底縁１２の形状に対応するよう断面溝形状の環状に成形して、この底キャップ１３を突出底縁１２にこれの下方から嵌合固定したものである。
【００１２】
このように構成された耐腐食性消火器は、コンクリート等の硬い床面などに置くときも本体容器１の底部に加えられる衝撃を底キャップ１３によって十分に緩和することができるので、本体容器１の底部にコーティングされている樹脂塗装膜の損傷や亀裂、剥がれ等をよく防止できて腐食防止に寄与できる。したがって、本体容器１の底部への塗装コーティングの上に２度にわたって行わなくても腐食防止効果を発揮できるに至った。
【００１３】
上記底キャップ１３の溝部と突出底縁１２との重合面間には、水分や湿気が侵入したり、底キャップ１３が不慮に離脱したりするのを防止するために接着剤１４を介在させておくことが好ましい。
【００１４】
上記ゴム状弾性材料としては、耐衝撃性、耐薬品性に優れる熱可塑性ポリウレタン、低密度ポリエチレン、エラストマー、軟質ポリ塩化ビニル、加硫ゴム、ＲＩＭウレタンのうちから１つを選択することが好ましい。
【００１５】
尚、本発明は、図示例の加圧式消火器以外に、そのほかの、例えば、蓄圧式消火器などにも同様に適用できることは言うまでもない。
【００１６】
【発明の効果】
本発明によれば、本体容器の底部に備えた底キャップにより設置時における衝撃を緩和できるので、本体容器の底部の樹脂塗装コーティングの剥離や亀裂を防止でき、腐食発生の防止に効果的である。また、本体容器の突出底縁に底キャップを嵌合固定するという簡単な作業で足り、腐食防止対策にあたってコスト的にも安価な方法で対応できる利点がある。
【図面の簡単な説明】
【図１】本発明の一実施例を示す耐腐食性消火器の正面図である。
【図２】図１の耐腐食性消火器の底部の拡大断面図である。
【図３】図１の耐腐食性消火器に備える底キャップの断面図である。
【図４】他の実施例を図２に対応させて示す消火器底部の拡大断面図である。
【符号の説明】
１　本体容器
１２　突出底縁
１３　底キャップ
１４　接着剤
【図１】
2004081417.tif 000003
【図２】
2004081417.tif 000004
【図３】
2004081417.tif 000005
【図４】
2004081417.tif 000006